(57)【要約】【課題】  携帯電話を使用するときだけ、煩雑な操作なしで、簡単にストラップの長さを延長して、老眼等の人にも画面を見やすくできるようにする。【解決手段】  携帯式電話機に付設するストラップ構成物において、携帯式電話機の接続部とストラップとの間に、長さが可変である伸縮装置を介在させることによって、携帯式電話機の使用不使用に応じてストラップ構成物の全長を調整可能とする。伸縮装置を、バネ状の線状体と、その線状体の少なくとも両端部に位置する磁石とで構成してもよい。伸縮装置を、ワイヤー状の線状体と、その線状体の少なくとも一端に位置する線状体巻き取り装置とで構成してもよい。【選択図】      図３
2006166973.tif 000002
【特許請求の範囲】
【請求項１】
携帯式電話機に付設するストラップ構成物において、
携帯式電話機の接続部とストラップとの間に、長さが可変である伸縮装置を介在させることによって、携帯式電話機の使用不使用に応じてストラップ構成物の全長を調整可能とすることを特徴とする携帯電話用ストラップ。
【請求項２】
伸縮装置が、バネ状の線状体と、その線状体の少なくとも両端部に位置する磁石とで構成される
請求項１に記載の携帯電話用ストラップ。
【請求項３】
伸縮装置が、ワイヤー状の線状体と、その線状体の少なくとも一端に位置する線状体巻き取り装置とで構成される
請求項１に記載の携帯電話用ストラップ。
【発明の詳細な説明】
【技術分野】
【０００１】
本発明は、長さが可変な携帯電話用ストラップに関する。
【背景技術】
【０００２】
従来の携帯電話ストラップ、特に首から下げて使用するタイプのものは、吊り下げ紐あるいはチェーン等の長さを、予め調整して用いていた。
例えば４０歳台を過ぎて老眼になった人がそれを使用すると、決まった吊り下げ紐の長さでは、画面と目の距離が近すぎることにより、画面が相当見づらく、画面を見ながらの電話操作、メールの操作などは非常に困難である。そのため、ネックストラップの便利性を周知しながらも、その使用を断念している場合が少なくない。
【０００３】
また、吊り下げ使用時でも、紐の調整ができるものもあるが、携帯電話使用時に煩雑な操作をせず、瞬時にその長さを最適な長さに調整できたり、また非使用時には、簡単に元に戻せるものではないのが現状である。
吊り下げ紐あるいは接続部にコイル状のゴムなどを用い伸縮を可能にしているものもあるが、その場合使用していない時の携帯電話の支持の手段を別に考慮しなければならない。
【発明の開示】
【発明が解決しようとする課題】
【０００４】
そこで、本発明は、吊り下げに適した長さに調節されたネックストラップを付けて携帯電話を携帯している際、携帯電話を使用するときだけ、煩雑な操作なしで、簡単にその長さを延長して使用することにより、老眼等の人にも画面を見やすくするための器具を提供することを目的とする。特に、身の回りに付けるものであるため、大げさな器具でないことと、吊り下げ時には不要に延長してしまわないようにすることも配慮もする。
【課題を解決するための手段】
【０００５】
上記課題を解決するために、本発明の携帯電話用ストラップは、次の構成を備える。
すなわち、携帯式電話機に付設するストラップ構成物において、携帯式電話機の接続部とストラップとの間に、長さが可変である伸縮装置を介在させることによって、携帯式電話機の使用不使用に応じてストラップ構成物の全長を調整可能とすることを特徴とする。
ここで、伸縮装置を、バネ状の線状体と、その線状体の少なくとも両端部に位置する磁石とで構成してもよい。
また、伸縮装置を、ワイヤー状の線状体と、その線状体の少なくとも一端に位置する線状体巻き取り装置とで構成してもよい。
【発明の効果】
【０００６】
本発明によると、比較的簡易な構成でありながら、携帯電話を首から吊り下げながら、携帯電話の画面操作をする際、携帯電話の画面と使用者の目との距離を最適に保つことが可能となる。
その操作性も、画面操作時あるいは操作終了時に煩雑な操作をすることなく、非常に簡単であることにより、携帯電話の利便性、ネックストラップの有効性を失うことなく、これを使用することが可能となる。
今まで使用をあきらめていた老眼等の人もこれにより、ネックストラップ自体の使用を可能とし、ネックストラップ自体の利便性がより多くの人に提供されることとなる。加えて、伸縮装置をファッション性のあるもの（キャラクターなど）することで、ネックストラップ自体に付加価値を付けることが可能になるので、多様なアイテムの拡充も可能である。
【発明を実施するための最良の形態】
【０００７】
以下、本発明の実施形態について、図面を基に説明する。
本発明は、従来の携帯電話ネックストラップと携帯電話の接続部に、従来からあるリールなどバネ式の伸縮装置を介在させることによって、携帯電話使用時に携帯電話と目の距離を確保し、非使用時には首から吊り下げる調度良い長さに保つことを可能にする点に特徴がある。
【０００８】
伸縮装置は、装置内に、バネのより巻き取られているワイヤー様の紐などが、引っ張ることにより装置外に延長され、その引張り力がなくなった時点で装置内に巻き取られる装置で、おおむね３０ｃｍ 程の延長を可能とする。
それゆえ、それほど大きな伸縮装置を必要とせず、伸縮装置自身をアクセント、例えば、ファッション性のある形やキャラクターなどにもすることができる。
また、首から吊り下げて使用中、意図しないところで、伸縮装置が不用意に延長しないように、延長ワイヤー引き出し部分に磁石あるいはクリップなどを装着している。
【０００９】
図１は、ネックストラップ吊り下げ時と携帯電話使用時の形態を示す説明図である。
通常の携帯電話吊り下げ時 、吊り下げ紐（ａ）と携帯電話（ｂ）は首から吊り下げた状態で適当な長さで調節されている。携帯電話使用時は、吊り下げ紐（ａ）と携帯電話（ｂ）との間に介在させた伸縮装置（ｃ）のワイヤー（ｄ）が引き出され、携帯電話（ｂ）と使用する人の目の距離が確保されている。
【００１０】
図２は、伸縮装置を引き出していない状態での吊り下げ紐、携帯電話、伸縮装置の関係を示す説明図である。
吊り下げ紐（ａ）と携帯電話（ｂ）の間に伸縮装置（ｃ）が介在させてある。
【００１１】
図３及び４は、伸縮装置を引き出した状態での吊り下げ紐、携帯電話、伸縮装置の関係を示す説明図である。
伸縮装置のワイヤー（ｄ）が引き出され全体の長さが延長されている。
不用意な延長を防止するため、ワイヤー（ｄ）の引き出し部（ｅ）の部分に磁石を装着してある。巻き取り時には、磁石あるいは鉄製の部品（ｆ）と巻き取り器のほうについた磁石（ｇ）が 接着し、携帯電話の重量、あるいは人自身の動作によりワイヤー（ｄ）が 通常引き出されないように工夫する。そのため、巻き取りの強さや、磁石の強さを調整可能な構成とする。なお、この調整は、製品出荷時に予め行っておいてもよいし、使用者が適宜変更できる構成としてもよい。
【００１２】
また、前述の磁石の代わりにクリップを使ったものを図５で示している。
伸縮装置を内蔵させたクリップでワイヤー（ｄ）の延長、巻取りを制限しており、クリップ操作ボタン（ｈ）を押してそれを解除することにより、延長、巻取りを可能とし、任意な長さ位置での固定も可能とするものである。
このように磁石あるいはクリップは、不用意に延長を防止することができれば、他にも色々な方法で代替えが可能である。
【産業上の利用可能性】
【００１３】
本発明によると、老眼等の人が携帯電話ネックストラップを使用する時、画面をより見やすくするために相当の有効性を発揮させることができる。
また、女性の持つバッグなどに装着し、バッグに装着したままの電話操作を可能とするなどの利用法も可能であり、産業上利用価値が高い。
【図面の簡単な説明】
【００１４】
【図１】ネックストラップ吊り下げ時と携帯電話使用時の形態を示す説明図
【図２】伸縮装置を引き出していない状態での吊り下げ紐、携帯電話、伸縮装置の関係を示す説明図
【図３】伸縮装置を引き出した状態での吊り下げ紐、携帯電話、伸縮装置の関係を示す説明図
【図４】伸縮装置の関係を示す説明図
【図５】同、別実施例図
【符号の説明】
【００１５】
ａ 吊り下げ紐
ｂ 携帯電話
ｃ 伸縮装置
ｄ ワイヤー
ｅ ワイヤー引き 出し部
ｆ 磁石あるいは鉄製の部品
ｇ 磁石
ｈ クリップ操作ボタン
【図１】
2006166973.tif 000003
【図２】
2006166973.tif 000004
【図３】
2006166973.tif 000005
【図４】
2006166973.tif 000006
【図５】
2006166973.tif 000007